(57)【要約】      （修正有）【課題】非常排出口を常時は閉塞する栓部材がいたずらや誤作業等により取り外され難くした便器及びこの便器を備えたトイレを提供する。【解決手段】便器１００は、通常時に汚物を排出するための水洗排出口２１と、汚物の落下するボウル底部に設けられている非常排出口３０と、該非常排出口に嵌合可能であり、非常排出口を通常時は閉塞し非常時は開放するための栓部材４０とを備えている。栓部材の一部の上方からは視認し難い位置に、この栓部材を上方へ引き上げるための引掛け部が設けられている。【選択図】図１
0003173828.tif 000002
【実用新案登録請求の範囲】
【請求項１】
通常時に汚物を排出するための通常排出口と、汚物の落下するボウル底部に設けられている非常排出口と、該非常排出口に嵌合可能であり、該非常排出口を通常時は閉塞し非常時は開放するための栓部材とを備え、
前記栓部材の一部の上方からは視認し難い位置に、当該栓部材を上方へ引き上げるための引掛け部が設けられていることを特徴とする便器。
【請求項２】
前記栓部材は凹部を上面に備えており、前記引掛け部は前記凹部の表面から前記栓部材の側方に伸長する穴であることを特徴とする請求項１に記載の便器。
【請求項３】
前記栓部材は凹部を上面に備えており、前記引掛け部は前記凹部の上周縁上に設けられた円環状の部材であることを特徴とする請求項１に記載の便器。
【請求項４】
前記栓部材は凹部を上面に備えており、前記引掛け部は前記凹部の上周縁上に設けられた円環状の部材から中心方向に部分的に突出した部分円状部材であることを特徴とする請求項１に記載の便器。
【請求項５】
前記栓部材は凹部を上面に備えており、前記引掛け部は前記凹部の表面上に垂直に立設された板部材の一部に水平方向に貫通する貫通孔であることを特徴とする請求項１に記載の便器。
【請求項６】
前記栓部材は凹部を上面に備えており、前記引掛け部は前記凹部に設けられた溝の両側壁間に両端が連結された棒部材であることを特徴とする請求項１に記載の便器。
【請求項７】
前記栓部材は凹部を上面に備えており、前記引掛け部は前記凹部の底面に両端が固着されたＵ字状の線状部材であることを特徴とする請求項１に記載の便器。
【請求項８】
請求項１〜７のいずれか１項に記載の便器と、前記便器が設置された床の下に設けられ前記非常排出口に連結されている、汚物を通過させるための非常時用排水管と、前記床の下の空間に設置され前記非常時用排水管を介して落下される前記汚物を受容可能な便槽とを備えていることを特徴とするトイレ。
【請求項９】
前記非常時用排水管の中途部に該非常時用排水管を通常時は閉塞し非常時は開放する排水管用栓部材をさらに備えていることを特徴とする請求項８に記載のトイレ。
【請求項１０】
前記排水管用栓部材の上流側に、前記非常時用排水管と常時用排水管とを連通する連結管がさらに設けられていることを特徴とする請求項９に記載のトイレ。
【請求項１１】
前記排水管用栓部材の上面に非貫通のネジ穴が設けられていることを特徴とする請求項９又は１０に記載のトイレ。
【請求項１２】
前記排水管用栓部材の上面から前記栓部材の上方に伸長する棒状部が設けられ、該棒状部の上端に引掛け部を有することを特徴とする請求項９又は１０に記載のトイレ。
【考案の詳細な説明】
【技術分野】
【０００１】
本考案は、通常時には水洗便器として使用し、災害等の非常時には簡易便器として使用できる通常時及び非常時兼用可能な便器及びこの便器を備えたトイレに関する。
【背景技術】
【０００２】
本出願人は、通常時は水などの洗浄流体により使用でき、かつ、災害時などには洗浄流体なしに使用できるようにした通常時及び非常時兼用可能な便器を提案している（例えば、特許文献１）。
【０００３】
特許文献１に提案されている便器は、汚物の落下する位置の真下方向のボウル底部に非常排出口を設け、この非常排出口が栓部材によって常時は閉塞し非常時は解放するように構成されている。栓部材の上面中心部にはすり鉢状の凹部が形成され、この凹部には牽引部が渡るように構成されている。非常時は便器本体の上方から牽引フック等を栓部材の牽引部に掛けて、栓部材を上方へ引き上げることにより、非常排出口が開放される。引き上げられた栓部材は、便器から取り出され、牽引フックと共に、非常使用時の間、保管される。
【先行技術文献】
【特許文献】
【０００４】
【特許文献１】特許第４６５３２３２号公報
【考案の概要】
【考案が解決しようとする課題】
【０００５】
特許文献１に記載されたごとき便器においては、栓部材の牽引部が、非常排出口の凹部の上方をその中心を通って渡るように形成されており、外部から容易に視認できて目立つ構成となっている。このため、いたずら行為や、用途を理解していない者による誤作業により、取り外す必要のない通常時にも関わらず、栓部材が取り外されてしまい、排水が非常時用の便槽に流れてしまう可能性があった。
【０００６】
従って、本考案はこのような問題点を解消することを目的としている。即ち、本考案の目的は、非常排出口を常時は閉塞する栓部材がいたずらや誤作業等により取り外され難くした便器及びこの便器を備えたトイレを提供することにある。
【課題を解決するための手段】
【０００７】
本考案によれば、便器は、通常時に汚物を排出するための通常排出口と、汚物の落下するボウル底部に設けられている非常排出口と、非常排出口に嵌合可能であり、非常排出口を通常時は閉塞し非常時は開放するための栓部材とを備えている。栓部材の一部の上方からは視認し難い位置に、この栓部材を上方へ引き上げるための引掛け部が設けられている。
【０００８】
栓部材には、その一部の上方からは視認し難い位置に、この栓部材を上方へ引き上げるための引掛け部が設けられている。このため、予め用意された牽引フックをこの引掛け部に引掛けることにより栓部材を上方へ引き上げることができると共に、引掛け部自体が目立たなくなり、いたずら行為や便器の栓部材の用途を理解していない者の誤作業により、取り外す必要のない通常時にも関わらず、栓部材が取り外されてしまう不都合発生の可能性が低減される。
【０００９】
栓部材は凹部を上面に備えており、引掛け部はこの凹部の表面から栓部材の側方に伸長する穴であることが好ましい。これにより、凹部の表面には穴の開口のみを視認でき、引掛け部が目立たなくなり、誤作業により栓部材が取り外されることを回避でき、いたずらされる可能性も少なくなる。
【００１０】
栓部材は凹部を上面に備えており、引掛け部は凹部の上周縁上に設けられた円環状の部材であることも好ましい。これにより、引掛け部のあること自体が分かり難くなり、誤作業により栓部材が取り外されることを回避でき、いたずらされる可能性も少なくなる。
【００１１】
栓部材は凹部を上面に備えており、引掛け部は上周縁上に設けられた円環状の部材から中心方向に部分的に突出した部分円状部材であることも好ましい。これにより、引掛け部が小さくなって目立たなくなり、誤作業による栓部材が取り外されることを回避でき、いたずらされる可能性も少なくなる。
【００１２】
栓部材は凹部を上面に備えており、引掛け部は凹部の表面上に垂直に立設された板部材の一部に水平方向に貫通する貫通孔であることも好ましい。これにより、引掛け部が目立たなくなり、また、予め用意された牽引フックを使用しない限り、栓部材を簡単に取り外すことができない。その結果、誤作業により栓部材が取り外されることを回避でき、いたずらされる可能性も少なくなる。
【００１３】
栓部材は凹部を上面に備えており、引掛け部は凹部に設けられた溝の両側壁間に両端が連結された棒部材であることも好ましい。これにより、引掛け部が目立たなくなり、また、予め用意された牽引フックを使用しない限り、栓部材を簡単に取り外すことができない。誤作業により栓部材が取り外されることを回避でき、いたずらされる可能性も少なくなる。
【００１４】
栓部材は凹部を上面に備えており、引掛け部は凹部の底面に両端が固着されたＵ字状の線状部材であることも好ましい。これにより、引掛け部が小さく、目立たなくなり、誤作業により栓部材が取り外されることを回避でき、いたずらされる可能性も少なくなる。
【００１５】
また、本考案によれば、上述した便器と、この便器が設置された床の下に設けられ非常排出口に連結されている、汚物を通過させるための非常時用排水管と、床の下の空間に設置され非常時用排水管を介して落下される汚物を受容可能な便槽とを備えているトイレが提供される。
【００１６】
このような構成の便器を用いることで、引掛け部が目立たなくなり、便器の栓部材の用途を理解していない者の誤作業や、いたずら行為により、取り外す必要のない通常時にも関わらず、栓部材が取り外されてしまう不都合発生の可能性が減少される。また、通常時には水洗トイレとして使用し、非常時には簡易トイレとして使用可能な通常時及び非常時兼用トイレである。
【００１７】
非常時用排水管の中途部に該非常時用排水管を通常時は閉塞し非常時は開放する排水管用栓部材をさらに備えていることが好ましい。これにより、通常時にいたずら行為等により便器の栓部材が取り外されても、排水管用栓部材により非常時用排水管が閉塞されているため、排水が便槽に流入することを確実に回避可能となる。
【００１８】
排水管用栓部材の上流側に、非常時用排水管と常時用排水管とを連通する連結管がさらに設けられていることが好ましい。これにより、通常時にいたずら行為等により便器の栓部材が取り外されても、排水管用栓部材により非常時用排水管が閉塞されているため、排水をこの連結管を介して常時用排水管へ流すことが可能となる。
【００１９】
排水管用栓部材の上面に非貫通のネジ穴が設けられていることが好ましい。これにより、予め用意された先端が雄ネジを有する牽引フックで排水管用栓部材を容易に取り外し、再装着することが可能となる。
【００２０】
排水管用栓部材の上面から前記栓部材の上方に伸長する棒状部が設けられ、該棒状部の上端に引掛け部を有することが好ましい。これにより、予め用意された牽引フックで排水管用栓部材を容易に取り外し、復旧の際に再装着することが可能となる。
【考案の効果】
【００２１】
本考案によれば、非常排出口を閉塞するための栓部材の引っ掛け部を目立たなくすることで、いたずら行為や栓部材の用途を理解していない者の誤作業により、取り外す必要のない通常時にも関わらず、栓部材が取り外されてしまうことを防ぐことができる。
【００２２】
また、本考案のトイレは、通常時には水洗トイレとして使用し、災害等の非常時には簡易トイレとして使用可能な通常時及び非常時兼用可能である。特に、便器の栓部材の引掛け部を目立たなくすることで、いたずら行為や便器の栓部材の用途を理解していない者の誤作業により、取り外す必要のない通常時にも関わらず、栓部材が取り外されてしまうことを防ぐことができる。また、非常時用排水管にも排水管用栓部材を配置することで、いたずら行為等により便器の栓部材が取り外されても、排水管用栓部材により非常時用排水管を閉塞することができ、排水が便槽に流入することを確実に回避できる。
【図面の簡単な説明】
【００２３】
【図１】本考案の一実施形態における便器の構成を概略的に示す一部破断斜視図である。
【図２】図１に示した便器を用いたトイレの構成を示す断面図である。
【図３】図１に示した便器の栓部材の構成を概略的に示す斜視図及び断面図である。
【図４】栓部材の一変更態様（その１）を概略的に示す平面図及び断面図である。
【図５】栓部材の他の変更態様（その２）を概略的に示す平面図及び断面図である。
【図６】栓部材のさらに他の変更態様（その３）を概略的に示す平面図及び断面図である。
【図７】栓部材のまたさらに他の変更態様（その４）を概略的に示す平面図及び断面図である。
【図８】栓部材のさらに他の変更態様（その５）を概略的に示す平面図及び断面図である。
【図９】図１に示した便器を用いたトイレの他の構成例及びその機能を説明する断面図である。
【図１０】図９に示したトイレの機能を説明する断面図である。
【図１１】図９に示したトイレの機能を説明する断面図である。
【図１２】図１に示した便器を用いたトイレのさらに他の構成例及びその機能を説明する断面図である。
【図１３】図１２に示したトイレの機能を説明する断面図である。
【図１４】図１２に示したトイレの機能を説明する断面図である。
【図１５】排水管用栓部材の一変更態様（その１）を概略的に示す断面図である。
【図１６】図１５に示した排水管用栓部材を用いたトイレの構成及び機能を説明する断面図である。
【図１７】図１６に示したトイレの機能を説明する断面図である。
【図１８】図１６に示したトイレの機能を説明する断面図である。
【図１９】排水管用栓部材の他の変更態様（その２）を概略的に示す断面図である。
【図２０】図１９に示した排水管用栓部材を用いたトイレの構成及び機能を説明する断面図である。
【図２１】図２０に示したトイレの機能を説明する断面図である。
【図２２】図２０に示したトイレの機能を説明する断面図である。
【考案を実施するための形態】
【００２４】
以下、本考案に係る便器及びこの便器を備えたトイレの実施形態について、図を参照して説明する。
【００２５】
図１は本考案の一実施形態における便器１００の構成を概略的に示しており、特に、便器１００の非常排出口３０を閉塞する栓部材４０が装着されている形態を示している。図２は図１に示した便器１００を用いたトイレ１００Ａを示しており、また、非常排出口３０を閉塞する栓部材４０が予め用意された牽引部材（以下、牽引フックという）Ｌを用いて上方へ引き上げられ、非常排出口３０が開放された状態を示している。図３（ａ）は栓部材４０の外観形態を示しており、図３（ｂ）はこの栓部材４０の図３（ａ）におけるＡ−Ａ線断面を示している。
【００２６】
図１〜３に示すように、便器１００は、便器本体１０と、トラップ２０と、非常排出口３０と、この非常排出口３０を閉塞する栓部材４０とを備えている。
【００２７】
この便器１００を用いたトイレ１００Ａは、便器１００と、この便器１００が設置された床Ｆの非常排出口３０の垂直下方向の位置に形成された開口５１を挿通して非常排出口３０に連結されており汚物を通過させるための非常時用排水管５０と、便器１００の下部の床下空間に設置され便器１００の非常排出口３０から非常時用排水管５０を介して落下される汚物を受容可能な便槽６０とを備えている。
【００２８】
便器本体１０は、水などの洗浄流体がたまるボウル１１を有し、ボウル１１の後下部にトラップ２０が配置されている。このトラップ２０の下流端は水洗排出口２１であり、水洗排出口２１には通常時用排水管（下水パイプ）７０が接続されている。また、ボウル１１の底部を非常時に開放する非常排出口３０が形成されている。非常排出口３０は便座に腰掛けたときに汚物が落下する位置のほぼ真下の底部の位置に望ましくは配置される。ボウル１１の底部のこの非常排出口３０は、通常時は栓部材４０によって密封的に閉塞されている。
【００２９】
栓部材４０は、非常排出口３０の形状に応じた形状、本実施形態では円盤形状を有しており、その周囲の側面上部には周溝４１が設けられ、側面下部には段部４２が設けられている。周溝４１にはリング状パッキンなどのシール部材４３が嵌め込まれ、栓部材４０の上面中心部には曲面状の凹部４４が形成されている。シール部材４３の素材としては、ゴム系材料や樹脂系材料などの非常排出口３０及び栓部材４０の接触面とのなじみが良い材料とすることが好ましい。この凹部４４の下部の視認し難い位置には、栓部材４０の側方であるほぼ水平方向に伸長して設けられた貫通孔４５からなる引掛け部が設けられている。また、貫通孔４５の外側の開口は、例えばゴム系材料や樹脂系材料などの閉止部材４６により密封的に閉塞されている。なお、引掛け部は、非貫通孔としてもよい。この場合、加工が比較的に困難であるが、閉止部材が不要となる。
【００３０】
非常排出口３０の内周には、例えば、栓部材４０が嵌合する外枠３０ａが接着等により固着されている。栓部材４０は、この外枠３０ａ内に嵌め込みされて非常排出口３０を閉塞する。外枠３０ａはその内周壁３１に段部３２を有しており、この段部３２が栓部材４０の段部４２と当接することによって栓部材４０が支持される。
【００３１】
ここで、栓部材４０と非常排出口３０とは、垂直方向では栓部材４０の段部４２が外枠３０ａの段部３２に当接しつつ、上部からは水圧により絶えず圧力を受けている。水平方向では周溝４１に設けられているシール部材４３によって外枠３０ａの内周壁３１と当接している。以上の構成により、栓部材４０と非常排出口３との水密性が確保されている。
【００３２】
トイレ１００Ａは、通常時には非常排出口３０を栓部材４０で閉塞している状態で使用し、汚物は水洗排出口２１を通って通常時用排水管７０へ流れる。
【００３３】
災害等の非常時には便器本体１０の上方から牽引フックＬ等を栓部材４０の引掛け部である貫通孔４５に掛け、栓部材４０を上方へ引き上げて非常排出口３０を開放することで簡易水洗の便器とする。引き上げられた栓部材４０は便器本体１０の外側へ取り出され、牽引フックＬと共に非常時が終了するまで別途保管される。通常時に戻す手順については、別途保管されている栓部材４０と牽引フックＬを上述した手順と逆の手順で操作することによって非常排出口３０を閉塞する。
【００３４】
これにより、災害等の非常時に牽引フックＬを使用して栓部材４０を引き上げるので、非常排出口３０を容易に開放状態にすることができる。この場合、汚物は水洗排出口２１を通らず、非常排出口３０を通って便槽６０に落下する。したがって、通常時には水洗トイレとして使用し、非常時には簡易トイレとして使用することが可能である。
【００３５】
また、栓部材４０の引掛け部である貫通孔４５が目立たないので、いたずら行為や栓部材４０の用途を理解していない者の誤作業により、取り外す必要のない通常時にも関わらず、非常排出口３０を閉塞するための栓部材４０が取り外されるのを防ぐことができる。
【００３６】
図４は本考案に係る便器の栓部材の一変更態様（その１）を示しており、（ａ）は栓部材４０Ａを上から見た平面図（ただし、シール部材４３は表していない）、（ｂ）は（ａ）のＢ−Ｂ線断面図である。
【００３７】
図４に示すように、本変更態様における栓部材４０Ａは、非常排出口３０の形状に応じた円盤形状を有しており、その周囲の側面上部には周溝４１が設けられ、側面下部には段部４２が設けられている。周溝４１にはリング状パッキンなどのシール部材４３が嵌め込まれ、栓部材４０の上面中心部には曲面状の凹部４４が形成されている。この凹部４４の上周縁上には、引掛け部である円環状部材４５Ａが設けられている。
【００３８】
円環状部材４５Ａは、円盤状の板材の中央部が円形に開口しその開口の周辺部分が中心に向かって下方へ傾斜し、さらに外周部が下方に折り曲げられて形成されている。円環状部材４５Ａの径は栓部材４０Ａの上面の径に等しく、開口の径は凹部４４の上縁の径より小さくなっている。この円環状部材４５Ａは、栓部材４０Ａの上部に嵌合すると共にネジ又は接着剤等で栓部材４０Ａに固着されている。なお、円環状部材４５Ａを、栓部材４０Ａと一体的に形成してもよい。
【００３９】
災害等の非常時に牽引フックＬを使用して栓部材４０Ａを引き上げる際は、牽引フックＬの先端を円環状部材４５Ａの下面に引掛けて上方へ引き上げる。これにより、栓部材４０Ａを取り出して非常排出口３０を開放することができる。
【００４０】
図５は本考案に係る便器の栓部材の他の変更態様（その２）を示しており、（ａ）は栓部材４０Ｂを上から見た平面図（ただし、シール部材４３は表していない）、（ｂ）は（ａ）のＣ−Ｃ線断面図である。
【００４１】
図５に示すように、本変更態様における栓部材４０Ｂは、非常排出口３０の形状に応じた円盤形状を有しており、その周囲の側面上部には周溝４１が設けられ、側面下部には段部４２が設けられている。周溝４１にはリング状パッキンなどのシール部材４３が嵌め込まれ、栓部材４０Ｂの上面中心部には曲面状の凹部４４が形成されている。この凹部４４の上周縁上には円環状の部材が設けられ、その一部から突出した引掛け部４５Ｂが設けられている。
【００４２】
部分円状部材４５Ｂは、円盤状の板材の中央部が円形に開口し外周部が下方に折り曲げられて形成された円環状部材から中心方向に部分的に突出して形成されている。円環状部材の径は栓部材４０Ｂの上面の径に等しく、開口の径は凹部４４の上縁の径より小さくなっている。円環状部材は、栓部材４０Ｂの上部に嵌合すると共にネジ又は接着剤等で栓部材４０Ｂに固着されている。なお、部分円状部材４５Ｂを、栓部材４０Ｂと一体的に形成してもよい。
【００４３】
災害等の非常時に牽引フックＬを使用して栓部材４０Ｂを引き上げる際は、牽引フックＬの先端を部分円状部材４５Ｂの下面に引掛けて上方へ引き上げる。これにより、栓部材４０Ｂを取り出して非常排出口３０を開放することができる。
【００４４】
図６は本考案に係る便器の栓部材のさらに他の変更態様（その３）を示しており、（ａ）は栓部材４０Ｃを上から見た平面図（ただし、シール部材４３は表していない）、（ｂ）は（ａ）のＤ−Ｄ線断面図である。
【００４５】
図６に示すように、本変更態様における栓部材４０Ｃは、非常排出口３０の形状に応じた円盤形状を有しており、その周囲の側面上部には周溝４１が設けられ、側面下部には段部４２が設けられている。この周溝４１にはリング状パッキンなどのシール部材４３が嵌め込まれ、栓部材４０Ｃの上面中心部には曲面状の凹部４４が形成されている。この凹部４４の表面上に板部材４７が垂直に立設しており、この板部材４７の一部に水平方向に貫通する引掛け部である貫通穴４５Ｃが設けられている。板部材４７は、例えば溶接等の方法で凹部４４に固着されている。
【００４６】
災害等の非常時に牽引フックＬを使用して栓部材４０Ｃを引き上げる際は、牽引フックＬの先端を貫通孔４５Ｃに引掛けて上方へ引き上げる。これにより、栓部材４０Ｃを取り出して非常排出口３０を開放することができる。
【００４７】
図７は本考案に係る便器の栓部材のまたさらに他の変更態様（その４）を示しており、（ａ）は栓部材４０Ｄを上から見た平面図（ただし、シール部材４３は表していない）、（ｂ）は（ａ）のＥ−Ｅ線断面図である。
【００４８】
図７に示すように、栓部材４０Ｄは、非常排出口３０の形状に応じた円盤形状を有しており、その周囲の側面上部には周溝４１が設けられ、側面下部には段部４２が設けられている。この周溝４１にはリング状パッキンなどのシール部材４３が嵌め込まれ、栓部材４０Ｄの上面中心部には曲面状の凹部４４が形成されている。この凹部４４の下側部に設けられた溝４８と、両端が溝４８の両側壁に連結された引掛け部である棒部材４５Ｄが設けられている。なお、溝４８及び棒部材４５Ｄを設ける位置は、これに限定されるものではない。凹部４４内の他の位置に設けてもよい。
【００４９】
災害等の非常時に牽引フックＬを使用して栓部材４０Ｄを引き上げる際は、牽引フックＬの先端を棒部材４５Ｄの下に引掛けて上方へ引き上げる。これにより、栓部材４０Ｄを取り出して非常排出口３０を開放することができる。
【００５０】
図８は本考案に係る便器の栓部材のさらに他の変更態様（その５）を示しており、（ａ）は栓部材４０Ｅを上から見た平面図（ただし、シール部材４３は表していない）、（ｂ）は（ａ）のＦ−Ｆ線断面図である。
【００５１】
図８に示すように、栓部材４０Ｅは、非常排出口３０の形状に応じた円盤形状を有しており、その周囲の側面上部には周溝４１が設けられ、側面下部には段部４２が設けられている。この周溝４１にはリング状パッキンなどのシール部材４３が嵌め込まれ、栓部材４０Ｅの上面中心部には曲面状の凹部４４が形成されている。この凹部４４の底面に金属線材を折り曲げて形成されたＵ字状の線状部材４５Ｅの両端が固着されている。このＵ字状の線状部材４５ＥのＵ字状部には、牽引フックＬの先端が挿入可能となっている。線状部材４５Ｅの両端は、例えば、溶接等により凹部４４の底面に固着される。
【００５２】
災害等の非常時に牽引フックＬを使用して栓部材４０Ｅを引き上げる際は、牽引フックＬの先端を線状部材４５ＥのＵ字状部に引掛けて上方へ引き上げる。これにより、栓部材４０Ｅを取り出して非常排出口３０を開放することができる。
【００５３】
図９〜１１は本考案の便器１００を用いたトイレの他の構成例及びその機能を説明しており、図９は通常時にトイレ１００Ｂの非常排出口３０を栓部材４０で閉塞し、さらに、非常時用排水管５０を排水管用栓部材４０’で閉塞している状態を示しており、図１０は牽引フックＬを用いて栓部材４０を上方へ引き上げ、外した状態を示しており、図１１は牽引フックＬを用いて排水管用栓部材４０’を上方へ引き上げ、外した状態を示している。
【００５４】
図９に示すように、トイレ１００Ｂは、便器１００と、この便器１００が設置された床Ｆの非常排出口４０の垂直下方向の位置に形成された開口５１を挿通して非常排出口４０に連結されており汚物を通過させるための非常時用排水管５０と、非常時用排水管５０の中途部、例えば排出口に近い位置に設けられる排水管用栓部材４０’と、便器１００の下部の床下空間に設置され便器１００の非常排出口３０から非常時用排水管５０を介して落下される汚物を受容可能な便槽６０と、配水管用栓部材４０’の上流側で、非常時用排水管５０と常時用排水管７０とを連通する連結管８０と、連結管８０に非常時用排水管５０への排水や臭いの逆流を防止する逆止弁（ウォーターベスト）９０とを備えている。
【００５５】
排水管用栓部材４０’は非常時用排水管５０を常時は閉塞し非常時は開放することが可能である。トイレ１００Ｂは、通常時には非常排出口３０を栓部材４０で閉塞し、非常時用排水管５０も排水管用栓部材４０’で閉塞している状態で使用し、この場合、汚物は水洗排出口２１を通って常時用排水管７０へ流れる。
【００５６】
非常時には便器本体１０の上方から牽引フックＬ等を栓部材４０の引掛け部である貫通孔４５に挿入し引掛けて、栓部材４０を上方へ引き上げて非常排出口３０を開放させ、さらに、排水管用栓部材４０’を上方へ引き上げて非常時用排水管５０を開放させることで簡易水洗の便器とする。引き上げられた栓部材４０及び排水管用栓部材４０’は便器本体１０の外側へ取り出され、牽引フックＬと共に非常時が終了するまで別途保管される。通常時に戻す手順については、別途保管されている栓部材４０及び排水管用栓部材４０’を上述した手順と逆の手順で操作することによって非常時用排水管５０及び非常排出口３０を閉塞する。
【００５７】
これにより、災害等の非常時に牽引フックＬを使用して栓部材４０及び排水管用栓部材４０’を引き上げるので、非常排出口３０及び非常時用排水管５０を容易に開放することができる。この場合、汚物は水洗排出口２１を通らず、非常排出口３０を通って便槽６０に落下する。したがって、トイレ１００Ｂは、通常時には水洗トイレとして使用し、非常時には簡易トイレとして使用することができる。
【００５８】
一方、栓部材４０の引掛け部である貫通孔４５が目立たないので、いたずら行為や栓部材４０の用途を理解していない者の誤作業により、取り外す必要のない通常時にも関わらず、非常排出口３０を閉塞するための栓部材４０が取り外されるのを防ぐことができる。特に、非常時用排水管５０にも排水管用栓部材４０’を配置することで、いたずら行為等により便器の栓部材４０が取り外されても、排水管用栓部材４０’により非常時用排水管５０を閉塞することができ、排水が便槽６０に流入することを確実に回避できる。さらに、排水管用栓部材４０’としては、本考案の栓部材４０、４０Ａ、４０Ｂ、４０Ｃ、４０Ｄ又は４０Ｅのいずれかを用いることができ、従来の栓部材を用いることもできる。
【００５９】
図１２〜１４は本考案の便器１００を用いたトイレのさらに他の構成例及びその機能を説明しており、図１２は通常時にトイレ１００Ｃの非常排出口３０を栓部材４０で閉塞し、さらに、非常時用排水管５０を排水管用栓部材４０’で閉塞している状態を示しており、図１３は牽引フックＬを用いて栓部材４０を上方へ引き上げ、外した状態を示しており、図１４は牽引フックＬを用いて排水管用栓部材４０’を上方へ引き上げ、外した状態を示している。
【００６０】
図１２に示すように、トイレ１００Ｃは、便器１００と、この便器１００が設置された床Ｆの非常排出口３０の垂直下方向の位置に形成された開口５１を挿通して非常排出口３０に連結されており汚物を通過させるための非常時用排水管５０と、非常時用排水管５０の中途部、例えば排出口に近い位置に設けられる排水管用栓部材４０’と、便器１００の下部の床下空間に設置され便器１００の非常排出口３０から非常時用排水管５０を介して落下される汚物を受容可能な便槽６０と、常時用排水管７０とを備えている。
【００６１】
排水管用栓部材４０’は非常時用排水管５０を常時は閉塞し非常時は開放することが可能である。トイレ１００Ｃは、通常時には非常排出口３０を栓部材４０で閉塞し、非常時用排水管５０も排水管用栓部材４０’で閉塞している状態で使用し、この場合、汚物は水洗排出口２１を通って常時用排水管７０へ流れる。
【００６２】
非常時には便器本体１０の上方から牽引フックＬ等を栓部材４０の引掛け部である貫通孔４５に挿入し引掛けて、栓部材４０を上方へ引き上げて非常排出口３０を開放させ、さらに、排水管用栓部材４０’を上方へ引き上げて非常時用排水管５０を開放させることで簡易水洗の便器とする。引き上げられた栓部材４０及び排水管用栓部材４０’は便器本体１０の外側へ取り出され、牽引フックＬと共に非常時が終了するまで別途保管される。通常時に戻す手順については、別途保管されている栓部材４０及び排水管用栓部材４０’を上述した手順と逆の手順で操作することによって非常時用排水管５０及び非常排出口３０を閉塞する。
【００６３】
これにより、災害等の非常時に牽引フックＬを使用して栓部材４０及び排水管用栓部材４０’を引き上げるので、非常排出口３０及び非常時用排水管５０を容易に開放することができる。この場合、汚物は水洗排出口２１を通らず、非常排出口３０を通って便槽６０に落下する。したがって、トイレ１００Ｃは、通常時には水洗トイレとして使用し、非常時には簡易トイレとして使用することができる。
【００６４】
一方、栓部材４０の引掛け部である貫通孔４５が目立たないので、いたずら行為や栓部材４０の用途を理解していない者の誤作業により、取り外す必要のない通常時にも関わらず、非常排出口３０を閉塞するための栓部材４０が取り外されるのを防ぐことができる。特に、非常時用排水管５０にも排水管用栓部材４０’を配置することで、いたずら行為等により便器の栓部材４０が取り外されても、排水管用栓部材４０’により非常時用排水管５０を閉塞することができ、排水が便槽６０に流入することを確実に回避できる。さらに、排水管用栓部材４０’としては、本考案の栓部材４０、４０Ａ、４０Ｂ、４０Ｃ、４０Ｄ又は４０Ｅのいずれかを用いることができ、従来の栓部材を用いることもできる。さらにまた、非常時用排水管５０の長さ方向に複数の排水管用栓部材４０’を設けてもよい。この場合、排水が便槽６０に流入することをより確実に回避できる。
【００６５】
図１５は本考案に係る排水管用栓部材の一変更態様（その１）を示しており、図１６〜１８はこの変更態様の排水管用栓部材を用いたトイレの構成及び機能を説明している。図１６は通常時にトイレ１００Ｄの非常排出口３０を栓部材４０で閉塞し、さらに、非常時用排水管５０を排水管用栓部材４０Ｆで閉塞している状態を示しており、図１７は牽引フックＬ’を用いて栓部材４０を上方へ引き上げ、外した状態を示しており、図１８は牽引フックＬ’を用いて排水管用栓部材４０Ｆを上方へ引き上げ、外した状態を示している。なお、牽引フックＬ’は、先端に雄ネジを有しており、本変更態様の排水管用栓部材４０Ｆの脱着を行う場合はこの状態で使用するが、この雄ネジにネジ込むことによりフック部を先端に装着できる構成となっている。
【００６６】
図１６に示すように、トイレ１００Ｄは、排水管用栓部材４０Ｆを除いて、上述したトイレ１００Ｃと同様な構成を有している。従って、詳細な説明を省略する。
【００６７】
排水管用栓部材４０Ｆは、図１５に示すように、非常時用排水管５０の形状に応じた円盤形状を有しており、その周囲の側面上部には周溝４１が設けられ、側面下部には段部４２が設けられている。周溝４１にはリング状パッキンなどのシール部材４３が嵌め込まれ、排水管用栓部材４０Ｆの上面には曲面状の凹部４４が形成されている。この凹部４４の中心部に引掛け部である非貫通のネジ穴４５Ｆが設けられている。排水管用栓部材４０Ｆの上面に曲面状の凹部４４が設けられているため、牽引フックＬ’の先端がこの凹部４４に案内されてネジ穴４５Ｆへ容易に係合できるから、ねじ込みが容易となる。しかしながら、排水管用栓部材４０Ｆの上面は平面形状、凸形状などの他の形状であっても良い。
【００６８】
災害等の非常時に牽引フックＬ’を使用して栓部材４０を上方へ引き上げて非常排出口３０を開放させた後、牽引フックＬ’の先端フックを外して、雄ネジを露出させ、この雄ネジを排水管用栓部材４０Ｆのネジ穴４５Ｆにねじ込み、この排水管用栓部材４０Ｆを上方へ引き上げて非常時用排水管５０を開放させることができる。復旧の際に、牽引フックＬ’の雄ネジを排水管用栓部材４０Ｆのネジ穴４５Ｆにねじ込み、牽引フックＬ’で排水管用栓部材４０Ｆを容易に再装着することができる。
【００６９】
図１９は本考案に係る排水管用栓部材の他の変更態様（その２）を示しており、図２０〜２２はこの変更態様の排水管用栓部材を用いたトイレの構成及び機能を説明している。図２０は通常時にトイレ１００Ｅの非常排出口３０を栓部材４０で閉塞し、さらに、非常時用排水管５０を排水管用栓部材４０Ｇで閉塞している状態を示しており、図２１は牽引フックＬを用いて栓部材４０を上方へ引き上げ、外した状態を示しており、図２２は牽引フックＬを用いて排水管用栓部材４０Ｇを上方へ引き上げ、外した状態を示している。
【００７０】
図２０に示すように、トイレ１００Ｅは、排水管用栓部材４０Ｇを除いて、上述したトイレ１００Ｃと同様な構成を有している。従って、詳細な説明を省略する。
【００７１】
排水管用栓部材４０Ｇは、図１９に示すように、非常時用排水管５０の形状に応じた円盤形状を有しており、その周囲の側面上部には周溝４１が設けられ、側面下部には段部４２が設けられている。周溝４１にはリング状パッキンなどのシール部材４３が嵌め込まれ、排水管用栓部材４０Ｇの上面中心部には曲面状の凹部４４が形成されている。この凹部４４の表面から上方に伸長する棒状部４４ａが設けられ、棒状部４４ａの上端に引掛け部である両端が固着されたＵ字状の線状部材４５Ｇが設けられている。
【００７２】
災害等の非常時に牽引フックＬを使用して栓部材４０を上方へ引き上げて非常排出口３０を開放させた後、牽引フックＬの先端フックを線状部材４５Ｇに引っ掛けて、排水管用栓部材４０Ｇを上方へ引き上げて非常時用排水管５０を開放させることができる。復旧の際に、棒状部４４ａを持って排水管用栓部材４０Ｇを容易に再装着することができる。
【００７３】
なお、排水管用栓部材の上述した変更態様（その１及びその２）を図１２〜１４のトイレに適用しても良いことはもちろんである。
【００７４】
なお、上述した実施形態の便器１００は、洋式便器の例について説明したが、本考案はこれに限定されるものではない。和式便器にも本考案を適用できる。
【００７５】
また、上述した実施形態の便器１００において、栓部材４０、４０Ａ、４０Ｂ、４０Ｃ、４０Ｄ又は４０Ｅは、外枠３０ａを介して非常排出口３０に配置されている構成としたが、本考案はこれに限定されるものではない。例えば、非常排出口３０に栓部材４０を嵌合する構成とし、栓部材４０を直接に非常排出口３０に配置するようにしてもよい。
【００７６】
また、上述した実施形態の便器１００において、栓部材４０、４０Ａ、４０Ｂ、４０Ｃ、４０Ｄ又は４０Ｅは、上面中心部に曲面状の凹部４４が形成されている構成としたが、本考案はこれに限定されるものではない。例えば、円台面状の凹部を形成するようにしてもよい。
【００７７】
さらに、上述した実施形態において、栓部材４０、４０Ａ、４０Ｂ、４０Ｃ、４０Ｄ又は４０Ｅは円盤形状を有する例として説明しているが、本考案はこれに限定されるものではない。例えば、楕円やその他の形状としてもよい。
【産業上の利用可能性】
【００７８】
本考案は、通常時には水洗トイレとして使用し、災害等の非常時には簡易トイレとして使用可能な通常時及び非常時兼用の便器、及びこの便器を備えたトイレにおいて、非常排出口を閉塞する栓部材がいたずら等により取り外される可能性を低減する目的に利用できる。
【符号の説明】
【００７９】
１０  便器本体
１１  ボウル
２０  トラップ
２１  水洗排出口
３０  非常排出口
３０ａ  外枠
３１  内周壁
３２、４２  段部
４０、４０Ａ、４０Ｂ、４０Ｃ、４０Ｄ、４０Ｅ  栓部材
４０’、４０Ｆ、４０Ｇ 排水管用栓部材
４１  周溝
４３  シール部材
４４  凹部
４４ａ  棒状部
４５、４５Ｃ  貫通孔
４５Ａ  円環状部材
４５Ｂ  部分円状部材
４５Ｄ  棒部材
４５Ｅ、４５Ｇ  線状部材
４５Ｆ  ネジ穴
４６  閉止部材
４７  板部材
４８  溝
４９  通孔
５０  非常時用排水管
５１  開口
６０  便槽
７０  通常時用排水管（下水パイプ）
８０  連結管
９０  逆止弁（ウォーターベスト）
１００  便器
１００Ａ、１００Ｂ、１００Ｃ、１００Ｄ、１００Ｅ  トイレ
【図１】
0003173828.tif 000003
【図２】
0003173828.tif 000004
【図３】
0003173828.tif 000005
【図４】
0003173828.tif 000006
【図５】
0003173828.tif 000007
【図６】
0003173828.tif 000008
【図７】
0003173828.tif 000009
【図８】
0003173828.tif 000010
【図９】
0003173828.tif 000011
【図１０】
0003173828.tif 000012
【図１１】
0003173828.tif 000013
【図１２】
0003173828.tif 000014
【図１３】
0003173828.tif 000015
【図１４】
0003173828.tif 000016
【図１５】
0003173828.tif 000017
【図１６】
0003173828.tif 000018
【図１７】
0003173828.tif 000019
【図１８】
0003173828.tif 000020
【図１９】
0003173828.tif 000021
【図２０】
0003173828.tif 000022
【図２１】
0003173828.tif 000023
【図２２】
0003173828.tif 000024